(57)【特許請求の範囲】
【請求項１】
ケース本体と、当該ケース本体を開閉する蓋体と、前記ケース本体内に収容されるインナーケースとを含み、多数のキーが整列保持されるキー管理ケースにおいて、
前記ケース本体とインナーケースとの間に、キーに設けられた通し穴若しくは当該通し穴に装着された環状ホルダーを被保持部として前記キーを保持するキー保持用具が配置され、
前記キー保持用具は、一端が固定端とされるとともに他端が自由端として設けられ、且つ、相互に所定間隔を隔てて配置された一対の保持体を含み、少なくとも一方の保持体は、自由端側相対部分から他方の保持体に向かって突出する凸部を備え、前記凸部は、先端が基部よりも前記固定端側に位置する傾斜部若しくは曲面部を備え、
前記インナーケースの一部に前記凸部を表出させるスロット穴が形成されていることを特徴とするキー管理ケース。
【請求項２】
ケース本体と、当該ケース本体を開閉する蓋体と、前記ケース本体内に収容されるインナーケースとを含み、多数のキーが整列保持されるキー管理ケースにおいて、
前記ケース本体とインナーケースとの間に、キーに設けられた通し穴若しくは当該通し穴に装着された環状ホルダーを被保持部として前記キーを保持するキー保持用具が配置され、
前記キー保持用具は、一端が固定端とされるとともに他端が自由端として設けられ、且つ、相互に所定間隔を隔てて配置された一対の保持体を含み、前記各保持体は、自由端側相対部分から突出して保持体間のセンターで相互に突き合う先端面を備えた凸部を備え、
前記凸部は、先端が基部よりも前記固定端側に位置する傾斜部若しくは曲面部を備え、
前記インナーケースの一部に前記凸部を表出させるスロット穴が形成されていることを特徴とするキー管理ケース。
【請求項３】
前記凸部は、上部傾斜面若しくは上部曲面と、これの下部に位置する下部傾斜面若しくは下部曲面とを有する形状を備えていることを特徴とする請求項１又は２記載のキー管理ケース。
【請求項４】
キーに設けられた通し穴若しくは当該通し穴に装着された環状ホルダーを被保持部として前記キーを保持するキー保持用具において、
一端が固定端とされるとともに他端が自由端として設けられ、且つ、相互に所定間隔を隔てて配置された一対の保持体を含み、
少なくとも一方の保持体は、自由端側相対部分から他方の保持体に向かって突出する凸部を備え、
前記凸部は、先端に向かうに従って輪郭が細くなる略錐状に設けられるとともに、先端が基部よりも前記固定端側に位置する上部傾斜面若しくは上部曲面と、これの下部に位置する下部傾斜面若しくは下部曲面とを有する形状を備えていることを特徴とするキー保持用具。
【発明の詳細な説明】
【技術分野】
【０００１】
本発明はキー保持用具及びキー管理ケースに係り、更に詳しくは、簡易な構成によってキーの脱落を防止することのできるキー保持用具及びキー管理ケースに関する。
【背景技術】
【０００２】
従来より、オフィス等においては、多数のキーを集中管理するために、ボックス形状を備えたキー管理ケースが利用されている。このキー管理ケースは、ケース内に多数のキー保持用具が装備されており、個々のキー保持用具の位置と関連付けてキーを保持させることができるようになっている。
このようなキー管理ケースは、持ち運びを行った際の衝撃等により、キーがキー管理ケース内で移動してキー保持用具から外れてしまい、何れのキー保持用具に保持されていたキーであるかが分からなくなってしまう、という不都合がある。
【０００３】
そこで、キー保持用具からキーが不用意に外れることがないようにするための構成を備えたキー管理ケースが提案されている（例えば、特許文献１参照）。
【０００４】
【特許文献１】特開２００４−５２３９５号公報
【発明の開示】
【発明が解決しようとする課題】
【０００５】
しかしながら、特許文献１に記載されたキー管理ケースにあっては、キーの通し穴に専用の板状部材を設け、当該板状部材をキー保持用具を形成するスリットに差し込んで変位させることでキーを脱落不能に保持する構成となっている。従って、キー保持用具の構造が複雑になるばかりでなく、これに対応する専用部品が必要となり汎用性に欠ける、という不都合がある。
【０００６】
［発明の目的］
本発明は、このような不都合に着目して案出されたものであり、その目的は、保持するための専用部品をキーに設ける必要がないとともに、極めて簡易な構成によってキーを脱落不能に保持することのできるキー保持用具及びキー管理ケースを提供することにある。
【課題を解決するための手段】
【０００７】
前記目的を達成するため、本発明は、ケース本体と、当該ケース本体を開閉する蓋体と、前記ケース本体内に収容されるインナーケースとを含み、多数のキーが整列保持されるキー管理ケースにおいて、
前記ケース本体とインナーケースとの間に、キーに設けられた通し穴若しくは当該通し穴に装着された環状ホルダーを被保持部として前記キーを保持するキー保持用具が配置され、
前記キー保持用具は、一端が固定端とされるとともに他端が自由端として設けられ、且つ、相互に所定間隔を隔てて配置された一対の保持体を含み、少なくとも一方の保持体は、自由端側相対部分から他方の保持体に向かって突出する凸部を備え、前記凸部は、先端が基部よりも前記固定端側に位置する傾斜部若しくは曲面部を備え、
前記インナーケースの一部に前記凸部を表出させるスロット穴が形成される、という構成を採っている。
【０００８】
また、本発明は、ケース本体と、当該ケース本体を開閉する蓋体と、前記ケース本体内に収容されるインナーケースとを含み、多数のキーが整列保持されるキー管理ケースにおいて、
前記ケース本体とインナーケースとの間に、キーに設けられた通し穴若しくは当該通し穴に装着された環状ホルダーを被保持部として前記キーを保持するキー保持用具が配置され、
前記キー保持用具は、一端が固定端とされるとともに他端が自由端として設けられ、且つ、相互に所定間隔を隔てて配置された一対の保持体を含み、前記各保持体は、自由端側相対部分から突出して保持体間のセンターで相互に突き合う先端面を備えた凸部を備え、
前記凸部は、先端が基部よりも前記固定端側に位置する傾斜部若しくは曲面部を備え、
前記インナーケースの一部に前記凸部を表出させるスロット穴が形成される、という構成を採ることが好ましい。
【０００９】
前記キー保持用具において、前記凸部は、上部傾斜面若しくは上部曲面と、これの下部に位置する下部傾斜面若しくは下部曲面とを有する形状を備えた構成とするとよい。
【００１０】
更に、本発明は、キーに設けられた通し穴若しくは当該通し穴に装着された環状ホルダーを被保持部として前記キーを保持するキー保持用具において、
一端が固定端とされるとともに他端が自由端として設けられ、且つ、相互に所定間隔を隔てて配置された一対の保持体を含み、
少なくとも一方の保持体は、自由端側相対部分から他方の保持体に向かって突出する凸部を備え、
前記凸部は、先端に向かうに従って輪郭が細くなる略錐状に設けられるとともに、先端が基部よりも前記固定端側に位置する上部傾斜面若しくは上部曲面と、これの下部に位置する下部傾斜面若しくは下部曲面とを有する形状を備える、という構成を採っている。
【発明の効果】
【００１１】
本発明によれば、保持体に形成された凸部は、その先端が基部よりも固定端側に位置する傾斜部若しくは曲面部を備えた構成とされているため、保持体の固定端が自由端よりも上方位置としてキー保持用具を位置させてキーを保持した場合に、キーの通し穴若しくは環状ホルダーは、その自重により、凸部の基端側に偏って位置することとなる。従って下向きの外力がキーに付与されることがあっても、前記通し穴若しくは環状ホルダーが常に凸部に引っ掛かる状態に保たれ、これにより、キーの意図しない脱落を防止することができる。しかも、このような脱落防止は、保持体に形成された凸部の形状を僅かに設計変更するだけであるため、構成も極めて簡単なものとすることができる。
なお、凸部の上下に傾斜面若しくは曲面を形成することで、キーの保持若しくは取り出し動作をスムースに行うことができる。
【発明を実施するための最良の形態】
【００１２】
以下、本発明の好ましい実施形態を図面を参照しながら説明する。
【００１３】
図１には、本実施形態に係るキー管理ケースの一部を破断した概略斜視図が示されている。この図において、キー管理ケース１０は、ケース本体１１と、当該ケース本体１１を開閉する蓋体１２と、前記ケース本体１１内に収容されたインナーケース１３と、ケース本体１１とインナーケース１３との間に配置されたキー保持用具１５とを備えて構成されている。
【００１４】
前記ケース本体１１及び蓋体１２は、それぞれ平面視略方形の皿状をなし、相互の開放側が合わされるようにヒンジ１６を介して連結されている。蓋体１２において、前記ヒンジ１６の反対側の端部中央には留め具１７が回転可能に連結されており、当該留め具１７をケース本体１１側に引っ掛けることにより閉塞状態が保たれるようになっている。
【００１５】
前記インナーケース１３は、図２及び図３に示されるように、ケース本体１１と相互に作用してキー保持用具１５を支持するとともに、当該キー保持用具１５を介して保持されたキーＫの受け面として作用するようになっている。このインナーケース１３は、キー受け面を形成する下平面部２０と、当該下平面部２０に段部２１を介して連なる上平面部２２とを備えた形状に設けられている。これら下平面部２０、段部２１及び上平面部２２は、図２に示されるように、上下二段に配置されており、これにより、キーＫの収容列が上下二列となるように構成されている。
【００１６】
前記下平面部２０、段部２１及び上平面部２２に跨る領域には、スロット穴２５が形成されており、当該スロット穴２５内に、キー保持用具１５の一部が表出するようになっている。また、上平面部２２において、各スロット穴２５毎に対応した表示部２６が設けられ、当該表示部は、図３に示されるように、キーＫの属性、すなわち、何れのキーであるかどうかを示すラベルＬと、当該ラベルＬ上に位置する透明なカバープレート２８とにより構成されている。また、下平面部２０には、キーＫが隣接するキーとの絡み付き等を規制する仕切部３０が所定間隔毎に形成されている。
【００１７】
前記キー保持用具１５は、前記上平面部２２の裏面側に配置され、図示しない押さえプレートを介して固定されるようになっている。このキー保持用具１５は、図３ないし図８に示されるように、前記上平面部２２の裏面側に形成された突状部３２回りに位置するベース部３３と、このベース部３３に連設されて一端が固定端とされるとともに他端が自由端として設けられ、且つ、相互に所定間隔を隔てて配置された一対の保持体３５，３５と、各保持体３５の自由端側相対部分から他方の保持体に向かって突出する凸部３６，３６とを備えて構成されている
【００１８】
前記ベース部３３は有底状に設けられている。具体的には、平面視略長楕円形状を有する底面部４０と、当該底面部４０の周縁に連設された周面部４１とからなり、底面部４０の反対側が開放する形状に設けられている。前記保持体３５，３５は、周面部４１における一方の長辺側から、当該長辺に略直交する方向に突出するように連設されており、その基端（図４中上端）が固定端とされる一方、先端（同図中下端）が自由端として形成されている。
【００１９】
前記凸部３６は、先端に向かうに従って輪郭が細くなるように略錐状に設けられるとともに、先端が基部よりも固定端側に近づくように位置する傾斜部４２を備えた形状に設けられている。これを更に詳述すると、各凸部３６は、先端に向かうに従って固定端側に位置する上部傾斜面４２Ａ及び下部傾斜面４２Ｂを備え、上部傾斜面４２Ａの傾斜角度は、下部傾斜面４２Ｂよりも若干緩やかな傾斜面に設けられている。また、上部傾斜面４２Ａは、側面視で前後方向（図６中左右方向）における中央部が前記固定端に最も近くなるように形成されている一方、下部傾斜面４２Ｂは、中央部が最も低くなる湾曲面形状に設けられている。更に、各凸部３６の先端は、略鉛直面内に位置する突き合わせ面４３として形成されている。
【００２０】
前記キー保持用具１５は、インナーケース１３における上平面部２２の裏面側に配置されたときに、各凸部３６，３６がスロット穴２５内に表出するように設けられ、当該スロット穴２５を通じてキーＫが保持される。
【００２１】
図８及び図９に示されるように、キーＫの通し穴Ｋ１には、キーホルダーとして作用を有する環状ホルダー５０（被保持部）が挿通されており、当該環状ホルダー５０がキー保持用具１５に保持されることで、キーＫがインナーケース１３の下平面部２０上に位置するようになっている。
【００２２】
環状ホルダー５０をキー保持用具１５に保持させる場合には、環状ホルダー５０をインナーケース１３の段部２１に相対させ、この位置からスロット２５に向かって環状ホルダー５０を押し込むようにすればよい。これにより、環状ホルダー５０は、各凸部３６の下部傾斜面４２に案内されながら中央に位置し、更に押し込む力を付与すると、各凸部３６,３６の突き合わせ面４３，４３間が開くように一対の保持体３５の自由端側が相対的に離れる方向に弾性変形する。そして、環状ホルダー５０が凸部３６の先端を通過したときに、各保持体３５が初期位置に弾性復帰し、前記突き合わせ面４３,４３が相互に突き合って閉塞し、これにより、環状ホルダー５０ひいてはキーＫがキー保持用具１５に保持されることとなる。
【００２３】
このようにしてキーＫが保持された状態において、例えば、保持体３５の固定端が自由端よりも上方に位置する状態としたときに、環状ホルダー５０は、当該環状ホルダー５０とキーＫの自重により、何れか一方の凸部３６の基部側に滑ることとなる（図２、図９参照）。従って、この状態で意図しない外力が付与されることがあっても、環状ホルダー５０は、常に凸部３６に引っ掛かる状態となり、不用意に脱落することはない。なお、キーＫを外すときは、環状ホルダー５０を操作する者が手前側に引っ張るか、図９中上方に押し上げながら手前側に引っ張って抜き出すことができる。
【００２４】
従って、このような実施形態によれば、保持体３５の固定端が自由端よりも上方位置となるようにキー保持用具１５を位置させたときに、環状ホルダー５０は、凸部３６の基部側に偏って位置するため、下向きの外力がキーＫに付与されることがあっても、環状ホルダー５０が凸部３６に引っ掛かり、脱落を効果的に防止できる、という効果を得る。しかも、凸部３６の形状を僅に変更するだけであり、構成が複雑化することもない。
【００２５】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、位置、その他の詳細な構成において、当業者が様々な変形を加えることができるものである。
従って、上記に開示した形状、位置などを限定した記載は、本発明の理解を容易にするために例示的に記載したものであり、本発明を限定するものではないから、それらの形状などの限定の一部若しくは全部の限定を外した物品の名称での記載は、本発明に含まれるものである。
【００２６】
例えば、前記実施形態では、環状ホルダー５０がキー保持用具１５に保持される場合を図示説明したが、本発明はこれに限定されるものではなく、キーＫに形成された通し穴Ｋ１を被保持部としてキー保持用具１５に保持させることでもよい。
【００２７】
また、凸部３６は、各保持体３５から突出して相互に対称形状に設けられたものに限らず、何れか一方の凸部を省略することもできる。この場合、凸部の先端が他方の保持体の内面に突き当たる形状とし、当該先端位置が基部位置よりも固定端側に近い形状であれば足りる。また、凸部３６における上下の傾斜面４２Ａ、４２Ｂは曲面とすることもできる。
【図面の簡単な説明】
【００２８】
【図１】本実施形態に係るキー管理ケースの概略斜視図。
【図２】インナーケースの概略平面図。
【図３】図１のＡ−Ａ線に沿う要部矢視拡大断面図。
【図４】キー保持用具の概略正面図。
【図５】図４の右側面図。
【図６】図４のＢ−Ｂ線に沿う矢視断面図。
【図７】図４の底面図。
【図８】キー保持用具とキーとの分解斜視図。
【図９】キー保持用具にキーが保持された状態を示す斜視図。
【符号の説明】
【００２９】
１０  キー管理ケース
１１  ケース本体
１２  蓋体
１５  キー保持用具
３５  保持体
３６  凸部
４２  傾斜部
５０  環状ホルダー（被保持部）
Ｋ  キー
Ｋ１  通し穴（被保持部）
【図１】
0004769960.tif 000002
【図２】
0004769960.tif 000003
【図３】
0004769960.tif 000004
【図４】
0004769960.tif 000005
【図５】
0004769960.tif 000006
【図６】
0004769960.tif 000007
【図７】
0004769960.tif 000008
【図８】
0004769960.tif 000009
【図９】
0004769960.tif 000010